(57)【要約】【課題】外壁と屋根に降り注ぐ太陽の熱を、通気を用いて有効活用し、屋根の融雪を効果的に行うことができる外装構造を提供する。【解決手段】建物の躯体上に外装材を形成する構造において、外装材の表面材裏側に通気部を設け、前記外装材は外壁及び屋根に前記通気部を連通させるようにして設置し、外壁通気部と屋根通気部は互いに連通させ、外壁通気部から棟側を経由して屋根通気部を通り軒先側へ通気できるようにしたことを特徴とする外装構造。【選択図】図１
2017095973.tif 000002
【特許請求の範囲】
【請求項１】
建物の躯体上に外装材を形成する構造において、外装材の表面材裏側に通気部を設け、前記外装材は外壁及び屋根に前記通気部を連通させるようにして設置し、外壁通気部と屋根通気部は互いに連通させ、外壁通気部から棟側を経由して屋根通気部を通り軒先側へ通気できるようにしたことを特徴とする外装構造。 
【発明の詳細な説明】
【技術分野】
【０００１】
本発明は、外壁と屋根に降り注ぐ太陽の熱を、通気を用いて有効活用し、屋根の融雪を効果的に行うことができる外装構造に係るものである。
【背景技術】
【０００２】
昨今、住宅等の建物において、建物の快適性や省エネ等の観点から、パッシブデザイン、遮熱、断熱、といった熱エネルギーのコントロールや有効活用が重視されてきている。
また、北陸、東北、北海道等の積雪の多い地域においては、家屋等の屋根に積もった雪を降ろす雪下ろし作業や排雪作業が必要となることがあるが、この雪下ろし作業や排雪作業は重労働で、屋根からの落下等の危険も伴うものである。近年は高齢化の影響もあり、作業の負担や危険性がいっそう問題視されている。
特許文献１においては、建物内の空調用の温風や冷風を活用することで屋根の融雪や冷却を行う方法が記述されている。
特許文献２においては、熱伝導性の良い金属板の熱伝導作用や空気を媒体とする熱伝達作用を用いて屋根の融雪を行う方法が記述されている。
【０００３】
【特許文献１】特開平８−１３７１２
【特許文献２】特開２０１０−２１６２２９
【発明の概要】
【発明が解決しようとする課題】
【０００４】
従来、屋根の融雪にはヒーターを使う方法や温水循環を使う方法など、化石燃料や電力を用いる事が考案されているが、環境負荷の問題や、設備の設置やメンテナンスが面倒であったり、費用がかさむなどの問題があった。そこで、特許文献１においては、建物内の空調用の温風や冷風を活用し屋根の融雪や冷却を行う方法が記述されている。しかし、この方法では、太陽熱等の自然エネルギーを十分には活用できておらず、省エネの点、熱エネルギーの有効活用といった点からは最良の方法とは言えない。また、特許文献２においては、熱伝導性の良い金属板を使い、その熱伝導作用や、空気を媒体とする熱伝達作用を用いて屋根の融雪を行う方法が記述されている。しかしこの方法では、太陽熱を透過させる透明板の設置や、屋根板金の下に熱伝導性の良い金属板を設置することが手間であったり、太陽熱を獲得できる面積が限定的であったり、設置した設備が逆に夏場には家屋を温めてしまう、といった状況が考えられる。
【課題を解決するための手段】
【０００５】
本発明はこのような課題を解決するために、建物の躯体上に外装材を形成する構造において、外装材の表面材裏側に通気部を設け、前記外装材は外壁及び屋根に前記通気部を連通させるようにして設置し、外壁通気部と屋根通気部は互いに連通させ、外壁通気部から棟側を経由して屋根通気部を通り軒先側へ通気できるようにしたことを特徴とする外装構造を提供する。
【発明の効果】
【０００６】
本発明における外装構造によれば（１）屋根が雪で覆われた状態であっても、外壁に降り注ぐ太陽の熱を利用して屋根の融雪を促し、雪下ろしや排雪作業等の危険で重労働な作業を回避できる。（２）太陽の熱で暖められたエアーをファンで通気させるだけなので、省エネになり、ランニングコストも抑えられる。（３）融雪のために電熱設備や温水設備といった特殊な設備を設置する必要がない。（４）屋根の棟側の冠雪が解消され屋根の棟側が露出した状態であれば、露出した屋根に降り注ぐ太陽光の熱を軒先側の残冠雪部の融雪に有効に活用することができる。（５）外壁、屋根といった広い面積を採熱に使える。（６）日射に恵まれない時であっても屋内の生活熱を活用して融雪することもできる。（７）夏場には通気による排熱で建物内部への熱の移動を軽減することもできる。といった特徴・効果がある。
【図面の簡単な説明】
【０００７】
【図１】本発明に係る外装構造の一例とその活用方法を示す図である。
【図２】本発明に係る外装構造の一例とその活用方法を示す図である。
【図３】本発明に係る外装構造の一例とその活用方法を示す図である。
【図４】本発明に係る外装構造の一例とその活用方法を示す図である。
【図５】本発明に係る外装構造に使用する外装材の一例を示す図である。
【発明を実施するための形態】
【実施例】
【０００８】
以下に図面を用いて本発明に係る構造の一実施例について説明する。図１〜図４は本発明に係る外装構造の一例を示したものであり、Ｔは太陽光、Ｋは家屋、Ｓは屋根上に積もった雪を示す。
【０００９】
図１〜図４に示すように、外壁材１を壁下地α上に、屋根材６を屋根下地β上に形成する。外壁材１の表面材裏面にある外壁通気部２は外壁通気孔Ｘで屋外Ｏと通じている。屋根材６の表面材裏面にある屋根通気部７は、例えば軒先側の屋根の端部に通気孔を設け屋外Ｏと通じさせても良いし、軒天や軒先空間等に通気孔を設け屋外Ｏと通じさせるようにしても良い。
【００１０】
前記の外壁通気部２と屋根通気部７は、外壁材１と屋根材６の中空構造を利用したものや、表面材裏面側空間を利用したものが考えられる。外壁通気部２と屋根通気部７の内部には通常は何も設けないが、通気と、外壁通気部２と屋根通気部７の内部にあるエアー３と表面材間での熱伝達に格別障害となるものでなければ設けても良い。
【００１１】
軒先側には、外壁通気部２と連通した軒先空間５を形成し、棟側には屋根通気部７と連通した棟側空間８を形成する。軒先空間５は棟側空間８を経由して屋根通気部７と連通させる。
【００１２】
図１〜図４に示した軒先空間５、棟側空間８、通気用のファン４の設置箇所はあくまで一例である。ファン４は通気に用いることができれば良いので、通気経路上に設置する。例えばファン４は、屋外に設置しても良いし、軒先空間５と棟側空間８の内部に設置しても良い。また、棟側空間８は屋根の棟部分に設けても良い。通気させることができればどこに設置しても良い。
【００１３】
外壁材１の例としては、図５に示すような外装材２０が考えられる。外装材２０の表面材は、例えば熱伝導性の良好な金属製表面材２０aとすることで、図１〜図４に示した外壁材通気孔Ｘより導入したエアー３を外壁通気部２において太陽光Ｔの熱で温めることが可能となる。ここで示す外装材２０はあくまで一例であり、外装材２０は表面材の裏に外壁通気部２が取れるような構造であればよい。外壁材１は、外壁通気部２が連通する形になるように、一般的には外壁の下方から上方まで連通する形になるように施工する。
【００１４】
金属製表面材２０ａの素材としては、金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、等（勿論、これらを各種色調に塗装したカラー板を含む。採熱を優先的に考えた場合、塗料は吸熱性の良いものを使用するとより効率が上がる。）の一種をロール成形、エンボスロール成形、あるいはプレス成形して形成したものが考えられる。
【００１５】
裏面材２０ｂは、金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、エンボスロール成形、プレス成形、押出成形等で成形したもの、あるいは、アルミニウム蒸着紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物からなるもの等が考えられる。
【００１６】
断熱材２０ｃは、例えばウレタンフォーム、イソシアヌレートフォーム、フェノールフォーム、ポリエチレンフォーム、ポリスチレンフォーム、等の樹脂発泡体や、ロックウール、グラスウール、等の無機繊維材などが考えられる。
【００１７】
断熱材２０ｃの表面側には、場合によって金属や樹脂等でできた板状物Ｉを形成しても良い。
【００１８】
屋根材６としては、図５に示す外装材２０のように、表面材は例えば熱伝導性の良好な金属製表面材２０aとする。ここで示す外装材２０はあくまで一例であり、外装材２０は表面材の裏に屋根通気部７が取れるような構造であればよい。連結部に関しては、屋根という高い防水性が求められる箇所なので、図５に示す外装材２０のような嵌合形状ではなく、縦葺き屋根で採用されているような嵌合式やハゼ締め式の連結、又は折半屋根のような連結が考えられる。連結部の詳細な形状の例に関しては省略する。屋根材６は屋根通気部７が軒の方から棟の方まで連通する形になるように施工する。
【００１９】
以下、図１〜図４を用いて、本件特許に係る外装構造の活用方法を説明する。
【００２０】
図１は、冬季で屋根上に積雪Ｓがある状態を示している。このとき、屋根上の積雪Ｓを融雪するために、ファン４を用いて外壁通気孔Ｘよりエアー３を外壁通気部２に導入し、太陽光Ｔの熱で温め、軒先空間５から棟側空間８を経由して屋根通気部７に送り、屋根通気部７においてエアー３の熱を屋根材６の表面へ伝えて積雪Ｓの融雪を促すことができる。熱を屋根材６に伝えたエアー３は軒先側から屋外Ｏへ排出される。
【００２１】
図２は屋根の棟側にあった積雪Ｓが解消され、軒先側に積雪Ｓがある状態、屋根の上方が露出しているような状態を示している。このとき、ファン４を用いて外壁通気孔Ｘから外壁通気部２にエアー３を導入し、太陽光Ｔの熱で温めたエアー３を棟側を経由させ露出している屋根の屋根通気部７に送り、そこでエアー３を太陽光Ｔの熱でさらに温め、それを軒先側に送ることで、軒先側にたまった雪をより効率よく融雪することができる。
【００２２】
図３に示すように、外壁通気孔Ｘから外壁通気部２にエアー３を導入し、太陽光Ｔの熱で温めたエアー３と、屋内の暖房器具Ｅで温められた空気も同様にエアー３として合わせて棟側空間８を経由させ屋根の屋根通気部７に送ることで、融雪することもできる。この方法であれば、日射が十分でない時であっても融雪が可能となる。
【００２３】
図１から図３において示したような本発明の構造を利用した融雪を行うとき、地域によっては図４に示すように軒先雪止めＺを設置し、落雪、つらら、すが漏れ、雪の巻き込み等を防止することが推奨される。
【符号の説明】
【００２４】
１  外壁材
２  外壁通気部
３  エアー
４  ファン
５  軒先空間
６  屋根材
７  屋根通気部
８  棟側空間
Ｅ  暖房器具
Ｋ  家屋
Ｏ  屋外
Ｓ  積雪
Ｔ  太陽光
Ｘ  外壁通気孔
Ｚ  軒先雪止め
α  壁下地
β  屋根下地
２０    外装材
２０a   表面材
２０ｂ  裏面材
２０ｃ  断熱材
Ｉ      板状物
【図１】
2017095973.tif 000003
【図２】
2017095973.tif 000004
【図３】
2017095973.tif 000005
【図４】
2017095973.tif 000006
【図５】
2017095973.tif 000007